(57)【要約】【課題】軽量且つ伸縮性に富んでいて着脱が容易であり、プールの水中で軽い運動をしても体が冷えて不快感を覚えることがない防性水水着、並びにこのような防水性水着を製造するに適した防水性布帛を、提供する。【解決手段】本発明の防水性布帛は、伸縮性を有する水着用の表地布帛と伸縮性を有する水着用の裏地布帛とを、ウレタン系接着剤層を介して積層し結合してなることを特徴とするもので、本発明の防水性水着は、伸縮性を有する水着用の表地布帛と伸縮性を有する水着用の裏地布帛とを、ウレタン系接着剤層を介して積層し結合してなる、伸縮性に富んだ防水性布帛を用いて縫製することにより、形成する。【選択図】  図１
2007023441.tif 000002
【特許請求の範囲】
【請求項１】
伸縮性を有する水着用の表地布帛と伸縮性を有する水着用の裏地布帛とを、ウレタン系接着剤層を介して積層し結合してなる防水性布帛。
【請求項２】
前記表地布帛がポリエステル系布帛である、請求項１に記載の防水性布帛。
【請求項３】
前記裏地布帛がポリアミド系布帛である、請求項１又は２に記載の防水性布帛。
【請求項４】
前記ウレタン系接着剤が、ポリエステルポリオールと脂環族系ジイソシアネートとを組み合わせてなる、請求項１乃至３の何れかに記載の防水性布帛。
【請求項５】
伸縮性を有する水着用の表地布帛と伸縮性を有する水着用の裏地布帛とを、ウレタン系接着剤層を介して積層し結合してなる、伸縮性に富んだ防水性布帛を用いて形成したことを特徴とする、防水性水着。
【発明の詳細な説明】
【技術分野】
【０００１】
本発明は、水中で運動するのに適した防水性水着及び防水性水着を形成するに適した防水性布帛に関するものである。
【背景技術】
【０００２】
従来から、水中での作業を行うための防水着として潜水服があるが、水中でかかる圧力を緩和すると共に体温の低下を防ぐために、こうした潜水服は、ウレタンゴムなどの厚手のシート素材を用いて製造されるのが普通である。またサーフィン用の防水着として、上記と同様なシート素材を利用したものが提供されている。しかし、このようなシート素材は伸長せず、嵩があって折り曲げも難しくて、着脱が容易でないばかりでなく、手足を自由に動かし難いので、水泳や水中ウォーキングなどの運動の際に着用する水着としては、不向きである。
【０００３】
その一方で、プールなどで水泳するのに適した水着は、殆どが水浸透性のものであり、水濡れによって体温が奪われることは特に問題とはならないが、高齢者が水中ウォーキングなどの軽度の運動をするには、体が冷えて不快であるという問題がある。そのうえ、水が浸透する水着は、プールの塩素を含んだ水によって生地が劣化し易い、という欠点が問題とされる。
【発明の開示】
【発明が解決しようとする課題】
【０００４】
そこで本発明は、上記のような従来技術の問題点を解決することを目的としたもので、軽量且つ伸縮性に富んでいて着脱が容易であり、プールの水中で軽い運動をしても体が冷えて不快感を覚えることがない防性水水着、並びにこのような防水性水着を製造するに適した防水性布帛を、提供しようとするものである。
【課題を解決するための手段】
【０００５】
本発明の防水性布帛は、伸縮性を有する水着用の表地布帛と伸縮性を有する水着用の裏地布帛とを、ウレタン系接着剤層を介して積層し結合してなることを特徴とする。
【０００６】
そして、本発明の防水性水着は、伸縮性を有する水着用の表地布帛と伸縮性を有する水着用の裏地布帛とを、ウレタン系接着剤層を介して積層し結合してなる、伸縮性に富んだ防水性布帛を用いて、形成したことを特徴とするものである。
【０００７】
また、本発明の防水性布帛を形成するに用いるウレタン系接着剤としては、ポリエステルポリオールと脂環族系ジイソシアネートとを組み合わせてなる反応性接着剤が、特に好ましく用いられる。
【発明の効果】
【０００８】
本発明の防水性布帛は、表裏２枚の伸縮性を有する布帛を、ウレタン系の薄い接着剤層で一体に接着して成るもので、布帛の感触や伸縮性を損なわず、また柔軟性を維持しながら水の浸透を抑制でき、しかも適度の通気性を有するという、従来の撥水性の防水布とは異なる防水特性を有する布帛であり、このような防水性布帛を利用することによって初めて、水中で体を冷やすことなく、快適に軽い運動を行うのに適した水着を、提供できたものである。
【発明を実施するための最良の形態】
【０００９】
本発明の防水性布帛の構造を図に基づいて説明するが、図１において、本発明の防水性布帛Ａは、表地布帛１と裏地布帛２とを、接着剤層３を介して積層し、一体に結合してなるもので、図１では、接着剤層３の部分で表地布帛１の一部を、裏地布帛２から引き剥がした状態を示している。
【００１０】
本発明の防水性布帛を形成するための基布は、表地布帛と裏地布帛とであるが、これらの布帛としては、その用途が基本的に水着用であるため、軽量であって着脱が容易なことが好ましい。従って、従来から水着用として用いられている伸縮性を有する布帛であれば、特に限定されることなく利用することができ、ポリウレタン系の弾性糸や、ナイロンポリウレタン弾性糸のほか、ポリエステル系やポリエーテル系の弾性糸などを用いて織成、或いは編成された布帛などから、所望により適宜に選択して利用することができる。
【００１１】
更に上記のような伸縮性を有する布帛のうち、プールで使用する水着に対しては、用水中に殺菌のための塩素などが含まれ得ることを考慮すれば，塩素による水着の劣化を避けるためには、ポリエステル系布帛、特にエステルポリウレタン弾性糸などを用いた耐塩素性の良好な布帛を、水との接触時間が長い表地布帛として利用するのが好適である。
【００１２】
そして、水着用布帛から選ばれた表地布帛と裏地布帛とは、ウレタン系接着剤により接着結合されるが、こうした接着剤としては、例えばポリエステルポリオールからなる基剤と、脂環族系ジイソシアネートからなる架橋剤と、少量の粘度調整用の溶剤とを配合してなる反応性接着剤が、好ましく用い得る。
【００１３】
上記のようなウレタン系接着剤、即ち接着剤自身が反応して、柔軟で耐水性のポリウレタン樹脂を形成することにより、布帛と布帛とを結合できる液状の反応性接着剤を、図２に示すように、例えば裏地布帛２の背面に薄く塗布し、これに表地布帛１の背面を貼り合わせた後、圧着状態で所定の架橋温度に加熱して固化させ、更に養生室内で架橋反応を進めて、ウレタン化を完成させる。こうすると、表地布帛１と裏地布帛２とがウレタン系の接着剤層３で結合された、本発明の防水性布帛Ａを得ることができる。
【００１４】
更に防水性が優れた布帛を得るには、別に用意した剥離紙上にポリウレタン樹脂溶液を塗布して加熱乾燥させ、ウレタン樹脂フィルムを生成させる。こうして剥離紙上に生成したウレタン樹脂フィルムに、前記と同様な、ポリエステルポリオール基剤と、脂環族系ジイソシアネート架橋剤と、溶剤とを配合してなる反応性接着剤を薄く塗布し、これに裏地布帛１の背面を貼り合わせ、圧着状態で所定の架橋温度に加熱して固化させ、剥離紙を除去する。
【００１５】
こうすると、裏地布帛２の背面の剥離紙を除去した跡に、接着されたウレタン樹脂フィルムが残されているので、このウレタン樹脂フィルムの面上に再び上記と同様な反応性接着剤を薄く塗布し、これに表地布帛１の背面を貼り合わせて、上記と同様に圧着状態で加熱して固化させ、更に養生室内で架橋反応を進めて、ウレタン化を完成させる。こうすると、表地布帛１と裏地布帛２とが、ウレタン樹脂フィルムを挟んだウレタン系の反応性接着剤、即ちウレタン系の接着剤層３で結合され、本発明の防水性布帛Ａを得ることができる。
【００１６】
上述のようにして製造された本発明の防水性布帛は、表地布帛１と裏地布帛２とをウレタン系接着剤層３を介して積層し結合してなるもので、表地又は裏地の布帛が水に濡れることがあっても接着剤層３は水を浸透させないから、一方の面を濡らした水が裏抜けすることがなく、更に適度の透湿性を備えているから蒸れることも少なく、実用上では極めて優れた防水性を発揮する。
【００１７】
そこで、本発明の防水性布帛を用いて、通常の縫製手法によって縫製した本発明の防水性水着は、裏地の縁部に僅かな撥水性を付与するだけで、表地を濡らした水が裏地に回ることがなく、従ってプールなどの水中で運動するときに、裏地に含まれている空気が逸脱することがなく、水が滲み込んで体が冷える、という不快さを避けることができる。
【００１８】
更にまた、本発明の防水性水着において、表地布帛が水に濡れても裏地布帛は水に濡れ難いという特性から、塩素殺菌が行われるプールで使用する水着では、表地としては塩素に強いポリエステル系布帛、特にエステルポリウレタン生地などの布帛が好ましく、その一方で塩素によって劣化作用を受けやすい材質、例えばポリアミド系布帛、特にナイロンポリウレタン生地などの布帛でも、裏地として利用できるという利点がある。
【産業上の利用可能性】
【００１９】
本発明の防水性布帛は、防水性水着を製造するための材料として用いて、水中で運動しても体が水に触れて冷えるという不快さを避け得るほか、防水性布帛の基布としてどのような材質の布帛を用いても、全く同様な防水性能や通気性能が得られるので、肌触りが良好で蒸れにくく、且つ洗濯もできる衣料、例えばオムツカバーなどにも、広く利用できると期待される。
【図面の簡単な説明】
【００２０】
【図１】本発明の防水性布帛の構造を示す一部剥離状態の斜視図である。
【図２】本発明の防水性布帛の製造工程を説明する断面図である。
【符号の説明】
【００２１】
Ａ      防水性布帛
１      表地布帛
２      裏地布帛
３      接着剤層
【図１】
2007023441.tif 000003
【図２】
2007023441.tif 000004